(57)【要約】  【課題】  指の間を開閉する動作が容易で、嵌めたままにおいて指先で作業を行うことができ、水中での着脱が容易な水泳補助手袋を提供する。【解決手段】  指スリーブと、水掻き部とによって水泳補助手袋を構成し、該指スリーブは、指に嵌める管体であって、管体開口の外周面に突起部を形成し、該突起部を設ける側から末端に向かって内径が徐々に狭くなるように内壁を形成し、また、それぞれの指スリーブは角度を対応する指の角度に合わせて形成し、かつ長さは対応する指の長さに合わせるとともに、指の第１関節の部分が該指スリーブの末端から外部に露出するように形成し、該水掻き部は、それぞれの該指スリーブの外壁を連結するように一体に形成されたシート状物であって、該水掻き部の外周縁部には突起部を形成し、かつ該水掻き部の表面に複数の凹溝を形成する。【選択図】  図１     
0003107935.tif 000002
【実用新案登録請求の範囲】
【請求項１】
指スリーブと、水掻き部とによって構成する水泳補助手袋において、
該指スリーブは、指に嵌める管体であって、管体開口の外周面に突起部を形成し、該突起部を設ける側から末端に向かって内径が徐々に狭くなるように内壁を形成し、また、それぞれの指スリーブは角度を対応する指の角度に合わせて形成し、かつ長さは対応する指の長さに合わせるとともに、指の第１関節の部分が該指スリーブの末端から外部に露出するように形成し、
該水掻き部は、それぞれの該指スリーブの外壁を連結するように一体に形成されたシート状物であって、該水掻き部の外周縁部には突起部を形成し、かつ該水掻き部の表面に複数の凹溝を形成することを特徴とする水泳補助手袋。
【請求項２】
前記指スリーブと、水掻き部とが軟質のゴム材で一体に形成されることを特徴とする請求項１に記載の水泳補助手袋。
【考案の詳細な説明】
【技術分野】
【０００１】
この考案は水泳補助手袋に関し、特に水かき部を具え、手の指に嵌めて使用することによって水を掻く場合の効果を高める水泳補助手袋に関する。
【背景技術】
【０００２】
図８に開示する従来の水掻き式手袋（１０）は、水泳、もしくはダイビングに用いるものであって、ダイビング用のフィンと同様の効果を有する。その構成は。それぞれの指管（１０１）の間に水掻き部（１０２）を形成し、使用者が手に嵌めて水を掻く場合、水を掻く効果を高める。
【０００３】
但し、上述する水掻き式手袋（１０）は、水掻き部（１０２）が肉厚であって、指管（１０１）は指全体を被覆する。よって、実際に使用する場合、指の間の開閉の動作が制限を受け、かつ指先の器用さを利用した動作の妨げになる。例えば、ダイビングにおいて水掻き式手袋（１０）を使用する場合、指先を利用して某かの操作をおこなおうとすれば、一旦水掻き式手袋（１０）を外さなければならない。係る方式は、着脱するための時間を消耗するのみならず、水掻き式手袋（１０）が例えばゴム材などの水を通さない材質によってなるため、対註においてとの摩擦抵抗が極めて大きくなる。よって、着脱が極めて容易でなくなり、使用者が水中で緊急の事態に遭遇した場合、即時水掻き式手袋（１０）を外して自体に対応することが難しい。従って、安全面においても不安になる。
【考案の開示】
【考案が解決しようとする課題】
【０００４】
この考案は、指の間を開閉する動作が容易になり、かつてに嵌めたままにおいて指先で作業を行うことができ、さらに水中においても着脱が容易な水泳補助手袋を提供することを課題とする。
【課題を解決するための手段】
【０００５】
そこで、本考案者は従来の技術に見られる欠点に鑑み鋭意研究を重ねた結果、指スリーブと、水掻き部とによって水泳補助手袋を構成し、該指スリーブの管体開口の外周面に突起部を形成し、該突起部を設ける側から末端に向かって内径が徐々に狭くなるように内壁を形成し、また、それぞれの指スリーブは角度を対応する指の角度に合わせて形成し、かつ長さは対応する指の長さに合わせるとともに、指の第１関節の部分が該指スリーブの末端から外部に露出するように形成するとともに、該水掻き部の外周縁部には突起部を形成し、かつ該水掻き部の表面に複数の凹溝を形成してなる水泳補助手袋の構造によって課題を解決できる点に着眼し、かかる知見に基づいて本発明を完成させた。
【０００６】
以下、この考案について具体的に説明する。
請求項１に記載する水泳補助手袋は、指スリーブと、水掻き部とによって構成する水泳補助手袋であって、
該指スリーブは、指に嵌める管体であって、管体開口の外周面に突起部を形成し、該突起部を設ける側から末端に向かって内径が徐々に狭くなるように内壁を形成し、また、それぞれの指スリーブは角度を対応する指の角度に合わせて形成し、かつ長さは対応する指の長さに合わせるとともに、指の第１関節の部分が該指スリーブの末端から外部に露出するように形成し、
該水掻き部は、それぞれの該指スリーブの外壁を連結するように一体に形成されたシート状物であって、該水掻き部の外周縁部には突起部を形成し、かつ該水掻き部の表面に複数の凹溝を形成する。
【０００７】
請求項２に記載する水泳補助手袋は、請求項１における指スリーブと、水掻き部とが軟質のゴム材で一体に形成される。
【考案の効果】
【０００８】
本考案の水泳補助手袋は、指の間を開閉する動作が容易になり、かつてに嵌めたままにおいて指先で作業を行うことができ、さらに水中においても着脱が容易なため、水中で指先を使って行う作業が順調にできるという利点がある。
【考案を実施するための最良の形態】
【０００９】
この考案は、水かき部を具え、手の指に嵌めて使用することによって水を掻く場合の効果を高める水泳補助手袋を提供するものであって、指スリーブと、水掻き部とによって水泳補助手袋を構成し、該指スリーブの管体開口の外周面に突起部を形成し、該突起部を設ける側から末端に向かって内径が徐々に狭くなるように内壁を形成し、また、それぞれの指スリーブは角度を対応する指の角度に合わせて形成し、かつ長さは対応する指の長さに合わせるとともに、指の第１関節の部分が該指スリーブの末端から外部に露出するように形成するとともに、該水掻き部の外周縁部には突起部を形成し、かつ該水掻き部の表面に複数の凹溝を形成する。
係る構成の水泳補助手袋について、その構造と特徴を詳述するために具体的な実施例を挙げ、以下に説明する。
【実施例１】
【００１０】
図１、図２に、この考案による水泳リングを開示する。水泳リング自体は、軟質ゴム材一体に成形する指スリーブ（１）の部分と、水かき部（２）とによって構成する。
【００１１】
指スリーブ（１）は指に嵌める管体であって、管体開口の外周面に突起部（１１）を形成し、該突起部（１１）を設ける側から末端に向かって内径が徐々に狭くなるように内壁を形成する（図３参照）。また、それぞれの管体の角度は、それぞれに対応する指の角度に合わせ、かつ指スリーブ（１）の長さは、対応する指の長さに合わせ、指の第１関節の部分が指スリーブ（１）の末端から外部に露出するように形成する。
【００１２】
水かき部（２）は、図１から図５に開示するように、それぞれの指スリーブ（１）の外壁を連結するように一体に形成されたシート状物であって、水かき部（２）の外周縁部には突起部（２１）を形成する。また、水かき部（２）の上面、もしくは底面に複数の凹溝（２２）を形成する（図６参照）。凹溝（２２）を形成することによって、水かき部（２）は、指の開閉の動作に合わせて折畳まれる。
【００１３】
以上の部材について、指スリーブ（１）をそれぞれの指の角度に合わせて設け、且つそれぞれの指スリーブ（１）の間に水かき部（２）を一体に形成する。かかる構成によって、水泳の水かきの力を増強させる水泳リングを得ることができる。
【００１４】
図７に開示するように、この考案による水泳補助リングを手に嵌めた場合、それぞれの指スリーブ（１）は、対応する指の長さに合わせて形成され。かつ指スリーブ（１）の末端の壁が薄くなっているため、使用者のそれぞれの指の第１関節が指スリーブ（１）の末端から外部に露出する。このため、この考案による水泳補助リングを嵌めた状態で、指先の器用さを利用して様々な動作を行うことができる（例えば水中ガン引き金の操作、物件を繋ぎとめたり、解いたりする）。
【００１５】
また、水かき部（２）の上面、もしくは底面に複数の凹溝（２２）を形成する。凹溝（２２）は、指の付け根の部分から水かき部（２）の外縁部に至るまで輻射状に形成する。よって、水かき部（２）は、指の間を開閉する操作に合わせて、展開、収縮の動作を機敏に行うことができる（図６参照）。水かき部（２）は凹溝（２２）を形成する箇所の厚さが薄くなる。故に、水かき部（２）の外周縁部に突起（２１）を形成することによって、水かき部（２）の強度を全体的に高めることができ、水かき部（２）が凹溝（２２）を形成する箇所から破損することを防ぐことができる。
【００１６】
この考案による水泳補助手袋を手に嵌めると、水掻き部（２）と指の付け根との間に隙間（４）が形成される。このため、水か掻く場合の抵抗が大きくなりすぎることを防ぐ作用が得られる。即ち、使用者が長時間使用しても、水の抵抗が大きすぎることによって腕が疲れる現象を防ぐことができる。
【００１７】
さらに、この考案による水泳補助手袋は、水を掻く場合に好ましい効果が得られるのみならず、指先を自由に使うことができる。 
【００１８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１９】
【図１】この考案による水泳補助手袋の斜視図である。
【図２】図１に開示する水泳補助手袋の断面図である。
【図３】この考案における指スリーブの断面図である。
【図４】この考案における水掻き部の断面図である。
【図５】図３におけるＡ−Ａ線の断面図である。
【図６】この考案における水掻き部が折畳まれた状態を示した説明図である。
【図７】この考案における水泳補助手袋の使用態様を示した説明図である。
【図８】従来の水掻き式手袋の斜視図である。
【符号の説明】
【００２０】
１            指スリーブ
１０          水掻き式手袋
１０１                指管
１１          突起部
２            水掻き部
２１          突起部
２２          凹溝
Ａ            隙間
【図１】
0003107935.tif 000003
【図２】
0003107935.tif 000004
【図３】
0003107935.tif 000005
【図４】
0003107935.tif 000006
【図５】
0003107935.tif 000007
【図６】
0003107935.tif 000008
【図７】
0003107935.tif 000009
【図８】
0003107935.tif 000010